(57)【要約】【課題】メンテナンスの作業性に優れ、かつ、室内の景観を良好に維持することのできる天井点検口の提供を目的とする。【解決手段】天井１に開設された開口部２内に固定される外枠３に対して閉塞回転位置と開放回転位置との間で回動自在に内枠４を連結した点検口本体５と、  前記閉塞位置に内枠４を拘束する閉塞操作位置と拘束解除する開放操作位置との間で移動自在に点検口本体５に取り付けられるロック体６とを有し、  前記点検口本体５とロック体６のいずれか一方には、ロック体６が開放操作位置をとるときに外部から目視容易で、閉塞操作位置をとるときに目視不能、あるいは目視困難になるロック判別部７を形成して構成する。【選択図】図１
2015200100.tif 000002
【特許請求の範囲】
【請求項１】
天井に開設された開口部内に固定される外枠に対して閉塞回転位置と開放回転位置との間で回動自在に内枠を連結した点検口本体と、
前記閉塞位置に内枠を拘束する閉塞操作位置と拘束解除する開放操作位置との間で移動自在に点検口本体に取り付けられるロック体とを有し、
前記点検口本体とロック体のいずれか一方には、ロック体が開放操作位置をとるときに外部から目視容易で、閉塞操作位置をとるときに目視不能、あるいは目視困難になるロック判別部が形成される天井点検口。
【請求項２】
前記外枠と内枠のいずれか一方には、他方に向かって天井に沿って張り出すフランジが形成されるとともに、
前記他方には、前記フランジの表面を摺動自在にロック体が取り付けられ、
前記ロック判別部がロック体のフランジ表面上での摺動に伴って見え隠れする請求項１記載の天井点検口。
【請求項３】
前記フランジとロック体のそれぞれの表面が明色であり、
かつ、前記フランジには、天井裏の暗さを取り込むようにして暗色をなし、ロック体の開放操作位置から閉塞操作位置への移動に伴って該ロック体により室内側から目視不能に覆われる判別空間部が形成される請求項２記載の天井点検口。
【請求項４】
前記ロック体は、
閉塞回転位置における他方の一方に対する対峙面に天井に沿って移動自在に取り付けられる取付部と、
取付部から延設されてフランジの表面に張り出す操作部と、
操作部との間にフランジを挟持可能にフランジの裏面に取付部から張り出すロック支持部とを有し、
かつ、前記フランジには、操作部とロック支持部とによる挟持状態をロック体が開放操作位置をとるときに解消させる切欠が前記判別空間部を兼ねて形成される請求項３記載の天井点検口。
【請求項５】
押し出し成形により形成されて幅方向に対向する折り返し片を長手通しに備えた枠材の複数を前記折り返し片間に嵌合する幅および厚さ寸法を備えたＬ字状の連結具により枠組みした内枠、外枠を、閉塞回転位置と開放回転位置との間で回転自在に連結して形成される点検口本体と、
前記内枠と外枠のいずれか一方の枠材の閉塞回転位置における他方への対峙面に長手方向に沿ってスライド自在に装着され、他方の枠材に形成されたロック受け部にスライド移動により係脱して内枠を閉塞回転位置に拘束可能なロック体とを有し、
前記ロック体は、前記対峙面に配置された折り返し片間への弾発係止により枠材の長手方向に沿って折り返し片間において摺動自在に装着される天井点検口。
【請求項６】
前記一方の枠材には、設置状態における室内側の側縁から前記他方の枠材に向かって張り出すフランジが形成されるとともに、
前記ロック体には、対峙面に装着される取付部から前記フランジの表面側に張り出して該フランジにより背面を支持される操作部が形成され、
かつ、前記取付部には、対峙面への装着状態において前記操作部と協働することにより一方の枠材に対するロック体の摺動動作、摺動姿勢を安定可能なクリアランスが折り返し片との間に設定される請求項５記載の天井点検口。
【請求項７】
前記取付部は、設置状態において天井裏側に配置される折り返し片に係止する係止片を一側縁部に備えるとともに、他側縁部には、天井裏側の折り返しに傾斜状に差し込まれた前記係止片の先端部を中心にしてロック体を対峙面に向かって回転させたときに、室内側の折り返し片に衝接して弾性変形により該折り返し片を乗り越えた後、弾性復帰して当該折り返し片に弾発係止する弾性脚が形成される請求項６記載の天井点検口。
【発明の詳細な説明】
【技術分野】
【０００１】
本発明は天井点検口に関するものである。
【背景技術】
【０００２】
内枠を外枠内の閉塞位置に拘束可能なロック体を備えた天井点検口としては、従来、特許文献１に記載されたものが知られている。この従来例において、内枠（フレーム）には、板材の中央を長手通しに半円弧状に折り曲げた部材がビス等により固定されるとともに、外枠（枠体）の上縁に係脱する回転片を上端に固着した軸が上記半円状の部分により回転可能に保持され、この軸の下端には、内枠の表面に露出する溝が形成される。ロック操作、アンロック操作は、溝にコイン等を係合させ、このコインを回転させることによりなされる。
【先行技術文献】
【特許文献】
【０００３】
【特許文献１】特開２００８-２８０７８０号公報
【発明の開示】
【発明が解決しようとする課題】
【０００４】
しかしながら、上述した従来例はメンテナンスの作業性が悪いという欠点がある。
【０００５】
すなわち、内枠を閉じた状態で室内側からロックがしっかりとなされているかを確認するには、溝の向き、すなわち回転角度を見るしかなく、予めロック状態のときの回転角度を間違いなく確実に覚えておかなければならない。
【０００６】
このような問題は、例えば、軸周りの内枠の表面にロック状態のときの溝の回転角度を示す印を付しておくことで解決することが可能であるが、このように印を付してしまうと、室内の景観を損ねるという新たな問題を惹起する。
【０００７】
本発明は以上の欠点を解消すべくなされたものであって、メンテナンスの作業性に優れ、かつ、室内の景観を良好に維持することのできる天井点検口の提供を目的とする。
【課題を解決するための手段】
【０００８】
本発明によれば、上記目的は、
天井１に開設された開口部２内に固定される外枠３に対して閉塞回転位置と開放回転位置との間で回動自在に内枠４を連結した点検口本体５と、
前記閉塞位置に内枠４を拘束する閉塞操作位置と拘束解除する開放操作位置との間で移動自在に点検口本体５に取り付けられるロック体６とを有し、
前記点検口本体５とロック体６のいずれか一方には、ロック体６が開放操作位置をとるとき（アンロック時）に外部から目視容易で、閉塞操作位置をとるとき（ロック時）に目視不能、あるいは目視困難になるロック判別部７が形成される天井点検口を提供することにより達成される。
【０００９】
本発明によれば、点検口本体５とロック体６のいずれか一方には、アンロック時に目視容易で、ロック時に目視不能、あるいは目視困難なロック判別部７が形成される。したがってロック動作状態の確認は、ロック判別部７が目視容易な状態であるか否かにより簡単にすることができる。また、ロック判別部７は、ロック時には目視不能、あるいは目視困難になるために、天井点検口を開放操作する作業時以外において、すなわち日常時に室内の景観を損なうことはない。
【００１０】
ロック判別部７は、例えば、ロック体６の開放操作位置から閉塞操作位置への移動に伴ってその一部を覆い隠すことのできる部分を点検口本体５に設けておくことにより、ロック体６のこのように覆い隠される部分に配置した目視容易な目印として構成することが可能である。また反対に、ロック体６が開放操作位置から閉塞操作位置への移動に伴って点検口本体５の一部を覆い隠すように点検口本体５に対するロック体６の操作移動位置を設定しておき、点検口本体５のこのようにロック体６により覆い隠される部分に配置した目視容易な目印として構成することも可能である。この場合において、ロック判別部７を点検口本体５の天井１との目地を隠すフランジ８に配置した場合には、このようなフランジ８を備えた既存の点検口本体５を活用して簡単にメンテナンス性等を良好にすることができる。
【００１１】
また、目視容易なロック判別部７は、例えば、平滑な部分に囲まれた浮島状の突起や、周囲の色とのコントラストをつけた着色によって構成することが可能である。この場合において、フランジ８とロック体６のそれぞれの表面を明色にするとともに、天井裏９の暗さを取り込むようにして暗色をなし、ロック体６の開放操作位置から閉塞操作位置への移動に伴って該ロック体６により室内側から目視不能に覆われる判別空間部１０をフランジ８に設けた場合には、フランジ８に室内空間と天井裏９を繋げる貫通孔や切欠を設けるだけで、室内の明るさと天井裏９の暗さによる明暗のコントラストを利用した視認性の高いロック判別部７を構成することができ、かつ、その耐久性をも極めて高めることができる。
【００１２】
さらに、
前記ロック体６は、
閉塞回転位置における他方の一方に対する対峙面１１に天井１に沿って移動自在に取り付けられる取付部１２と、
取付部１２から延設されてフランジ８の表面に張り出す操作部１３と、
操作部１３との間にフランジ８を挟持可能にフランジ８の裏面に取付部１２から張り出すロック支持部１４とを有し、
かつ、前記フランジ８には、操作部１３とロック支持部１４とによる挟持状態をロック体６が開放操作位置をとるときに解消させる切欠が前記判別空間部１０を兼ねて形成される天井点検口を構成した場合には、上述したロック判別部７をロック体６のロック機構を活用して極めて簡易に構成することができる。
【００１３】
また、上述のように点検口本体５に天井１に沿ってロック体６を移動自在に取り付ける場合には、天井点検口は、
押し出し成形により形成されて幅方向に対向する折り返し片１５、１５を長手通しに備えた枠材１６の複数を前記折り返し片１５、１５間に嵌合する幅および厚さ寸法を備えたＬ字状の連結具１７により枠組みした内枠４、外枠３を、閉塞回転位置と開放回転位置との間で回転自在に連結して形成される点検口本体５と、
前記内枠４と外枠３のいずれか一方の枠材１６の閉塞回転位置における他方への対峙面１１に長手方向に沿ってスライド自在に装着され、他方の枠材１６’に形成されたロック受け部１８にスライド移動により係脱して内枠４を閉塞回転位置に拘束可能なロック体６とを有し、
前記ロック体６は、前記対峙面１１に配置された折り返し片１５、１５間への弾発係止により枠材１６の長手方向に沿って折り返し片１５、１５間において摺動自在に装着されるように構成することができる。
【００１４】
すなわち、上述した従来例においては、ロック体６を移動操作可能にするために、内枠４などの点検口本体５へのロック体６の固定にビス等を用いることから、部品点数が多くなる上に、故障もしくは消耗したロック体６を交換する際や、あるいは、天井点検口５を製造する際には、ビス留め等の作業が必要になり、組み立て効率も悪いという欠点がある。
【００１５】
上述した天井点検口は、このような欠点を解消するもので、部品点数を削減できるとともに、組み立て効率を高めることができるものである。
【００１６】
すなわち、この天井点検口によれば、内枠４と外枠３の双方は、押し出し成形により形成されて幅方向に対向する折り返し片１５、１５を長手通しに備えた枠材１６の複数を枠組みして形成される。この枠組みは、枠材１６、１６同士の直交する接合部位において、上記折り返し片１５、１５間に嵌合する幅寸法を備えたＬ字状の連結具１７をそれぞれの枠材１６の折り返し片１５、１５間に嵌合させてなされる。
【００１７】
一方、ロック体６は、上記連結具１７よりもやや狭い幅寸法を備えたもので、上述のように押し出し成形により長手通しに形成されて枠組みに利用される折り返し片１５、１５間に挿入されることにより、折り返し片１５、１５間において枠材１６の長手方向にスライド移動することができる。このロック体６は、弾発係止により折り返し片１５、１５間に組み付けられる。
【００１８】
したがってこの天井点検口によれば、ロック体６は弾発係止により点検口本体５に装着されるために、上述した従来例におけるようなビス等が不要になる。また、その組み立て作業も、弾発係止する方向にロック体６を押し込む、言い換えれば折り返し片１５、１５間に向かってロック体６を押し込むだけでよく、これにより折り返し片１５に側縁部が押し付けられたロック体６を、側縁部が折り返し片１５を乗り越えるように弾性変形により撓ませることによりなされるために、押し込み作業だけの簡単なものになる。
【００１９】
さらに、ロック体６のスライド移動は、押し出し成形により形成される枠材１６において長手通しに形成され、その枠組みに利用される折り返し片１５を活用することで実現されるために、スライド移動のための専用構造を点検口本体５やロック体６に新たに設けることによるこれらの構造の複雑化といった問題も回避され、既存の点検口本体５をそのまま活用することができる。
【００２０】
また、この天井点検口において、ロック体６は具体的には、上述した天井点検口における取付部１２に相当する部分の一側縁部に、上述の押し込み操作により折り返し片１５に衝接して弾性変形により該折り返し片１５を乗り越えた後、弾性復帰して当該折り返し片１５に弾発係止する弾性脚２０を設けて構成することができる。また、このような弾性脚２０を取付部１２の両側縁部に設けて構成することも可能である。
【００２１】
さらに、ロック体６は、上述のように弾発係止により点検口本体５に装着するには、その弾性変形能を高めることが組み立て効率上望ましいが、あまり弾性変形能を高めてしまうと、折り返し片１５との係止状態が不安定になりやすく、これによりスライド移動が不安定になるおそれがある。一方、ロック体６の幅寸法をより小さくすれば、より小さな弾性変形量でも折り返し片１５間に弾発係止できるようなり、弾性変形能を抑えることが可能であるが、この場合には、折り返し片１５、１５間でロック体６ががたついてしまうおそれがある。
【００２２】
この点、上記天井点検口を、
前記一方の枠材１６には、設置状態における室内側の側縁から前記他方の枠材１６に向かって張り出すフランジ２１が形成されるとともに、
前記ロック体６には、対峙面１１に装着される取付部１２から前記フランジ２１の表面側に張り出して該フランジ２１により背面を支持される操作部１３が形成され、
かつ、前記取付部１２には、対峙面１１への装着状態において前記操作部１３と協働することにより一方の枠材１６に対するロック体６の摺動動作、摺動姿勢を安定可能なクリアランスが折り返し片１５との間に設定されるように構成すると、操作部１３のフランジ２１による支持を利用して上述したロック体６のがたつきを抑えることができる。
【００２３】
また、このようにロック体６のがたつきを抑えるために操作部１３、フランジ２１を利用する場合には、
前記取付部１２は、設置状態において天井裏９側に配置される折り返し片１５に係止する係止片１９を一側縁部に備えるとともに、他側縁部には、天井裏９側の折り返し片１５に傾斜状に差し込まれた前記係止片１９の先端部を中心にしてロック体６を対峙面１１に向かって回転させたときに、室内側の折り返し片１５に衝接して弾性変形により該折り返し片１５を乗り越えた後、弾性復帰して当該折り返し片１５に弾発係止する弾性脚２０が形成されるようにすれば、操作部１３をフランジ２１によりある程度密接に支持させるようにしても、ロック体６の弾発係止をスムーズにすることができるようになる。
【発明の効果】
【００２４】
以上の説明から明らかなように、本発明によれば、メンテナンスの作業性に優れ、かつ、室内の景観を良好に維持することのできる天井点検口を提供することができ、より快適な室内空間を提供することができる。
【００２５】
また、点検口本体にロック体を移動操作可能に取り付ける場合において、天井点検口の部品点数を削減できるとともに、組み立て効率を高めることのできる天井点検口を提供することができ、天井点検口のメンテナンス効率や製造効率の向上を通じてその良好な維持管理や活用を促進させることができる。
【図面の簡単な説明】
【００２６】
【図１】本発明に係る天井点検口を示す図で、（ａ）は斜視図、（ｂ）は正面図で一部を省略、破断したものである。
【図２】天井点検口を示す図で、（ａ）は図１の２Ａ-２Ａ線断面図、（ｂ）は２Ｂ-２Ｂ線断面図である。
【図３】天井点検口のロック体周りを示す図で、（ａ）は内枠への取り付け状態を示す図、（ｂ）は内枠と外枠の取り合いを含む斜視図である。
【図４】ロック体を示す図で、（ａ）は斜視図、（ｂ）は側面図である。
【図５】ロック体を示す図で、（ａ）は正面図、（ｂ）は背面図、（ｃ）は図４（ｂ）の５Ａ-５Ａ線断面図、（ｄ）は図４（ｂ）の５Ｂ-５Ｂ線断面図である。
【図６】ロック、アンロック動作を示す図で、（ａ）はロック状態を示す図、（ｂ）はアンロック状態を示す図である。
【図７】ロック体の組み付け作業を説明する図で、（ａ）は組み付け作業の初期段階を示す図、（ｂ）は組み付け作業の終期段階を示す図である。
【図８】ロック体によるロック、アンロック表示を示す図で（ａ）はロック状態を示す図、（ｂ）はアンロック状態を示す図である。
【図９】変形例を示す図で、（ａ）はロック体のロック表示を示す図、（ｂ）はロック体のアンロック表示を示す図である。
【発明を実施するための形態】
【００２７】
図１ないし図８に本発明の実施の形態を示す。図１および図２（ａ）に示すように、天井点検口は、天井１に形成された開口部２の周縁に固定される外枠３と、この外枠３に回転自在に連結される内枠４とを有する。これら外枠３および内枠４は、それぞれアルミニウムの押し出し成形品からなる枠材１６（１６’）の４本を矩形に枠組みして形成される。
【００２８】
上記枠材１６（１６’）は、図２（ａ）に示すように、天井１の厚さと同じ程度の幅寸法に形成された板状部３１の一側縁から厚さ方向に鍔部（フランジ８、２１）を張り出して形成される。この鍔部８（２１）の表面は、鏡面仕上げ、あるいはシボ加工などにより光をある程度反射できる程度に表面処理がされる。
【００２９】
また、板状部３１の他側縁には、折り返し片１５が形成される。この折り返し片１５は、倒Ｌ字状に折り返して、すなわち板状部３１の他端縁から厚さ方向に向かって突出する突出壁３２の先端から上記鍔部８（２１）に向かって折り返し壁３３を延設して形成され、鍔部８（２１）に向かって開放するスリット３４を内部に備える。
【００３０】
また、上記鍔部８（２１）には、上述した折り返し片１５の先端、すなわち折り返し壁３３に向かって突出する突片３５が形成される。これにより板状部３１と突片３５との間にも、上述した折り返し片１５と同じ開口幅のスリット３４’が形成され、鍔部８（２１）と突片３５により実質的に折り返し片１５が構成される。
【００３１】
以上の枠材１６（１６’）は、コーナーピース（連結具１７）を用いて枠組みされる。このコーナーピース１７は、図１（ｂ）に示すようにＬ字状の板材であり、図２（ａ）に示すように上述したスリット３４の開口幅と同じ程度の厚さのアルミニウムの板材をＬ字状に折曲して形成される。
【００３２】
外枠３および内枠４の枠組みは、図２（ａ）に示すように、枠材１６、１６（１６’、１６’）同士の端部間をコーナーピース１７で連結して形成される。上述したスリット３４、３４’間にコーナーピース１７を圧入することにより、枠材１６、１６（１６’、１６’）同士をコーナーピース１７によって直交姿勢に保持することができ、四隅において枠材１６（１６’）の端部同士をコーナーピース１７で連結することにより、枠組みが完了する。なお、以上のようにスリット３４、３４’間に圧入したコーナーピース１７を各枠材１６（１６’）の板状部３１に対してさらにボルト止め等すれば、より連結強度を高めることが可能である。
【００３３】
また、上述の枠組みは折り返し片１５を外側に向けた姿勢にしてなされる。これにより、外枠３の鍔部８の外側は、設置状態において外枠３と天井１との継ぎ目を隠すものとして機能し、一方、内枠４の鍔部２１の内側、すなわち折り返し片１５の反対側は、内枠４の内部に矩形の天井材３６を固定して扉状に構成する際の天井材３６の支持面として機能する。なお、内枠４を外枠３内に収容可能にするために、外枠３の枠材１６’は、内枠４の枠材１６よりもやや長寸に形成される。
【００３４】
また、以上とは逆の外枠３の鍔部８の内側、および内枠４の鍔部２１の外側は、外枠３と内枠４との目地を狭めるものとして機能する。上述のように内枠４と外枠３とで使用する枠材１６、１６’の長さを異ならせることにより、内枠４を外枠３内に収容した状態において、これらの鍔部８、２１の間には微少な隙間が設定される。
【００３５】
以上の外枠３と内枠４とは、図１（ａ）に示すように、軸体３７によりそれぞれの一辺縁部周りに回転自在に連結される。軸体３７は、図１（ｂ）に示すように、内枠４と外枠３の対向辺間に跨がるようにして一対が組み付けられる。また、回転先端側には、内枠４を外枠３内に収容したときに圧接し、後述するロック体６による閉塞操作時に内枠４ががたつかないようにするための押さえ片３８が内枠４と外枠３のそれぞれに形成される。
【００３６】
上述のように内枠４を外枠３内に収容した姿勢に拘束するために、天井点検口には、ロック部３９が設けられる。ロック部３９は、内枠４の外側面（対峙面１１）に枠材１６の長手方向に沿ってスライド移動自在に取り付けられるロック体６と、外枠３の内側に設けられるロック受け部１８およびロック逃がし部（判別空間部１０）とを有する。
【００３７】
ロック体６は、図３（ｂ）、図４、および図５に示すように、ポリアセタールなどの適宜の弾性を備えた合成樹脂材により一体成形され、内枠４に取り付けられる取付部１２と、操作部１３と、ロック時に上述したロック受け部１８に係止し、アンロック時にはロック逃がし部１０に対峙するロック支持部１４とを有する。なお、ロック体６は、上述した鍔部８（２１）の表面と同じ程度の色合い、光の反射ができるように着色、表面処理等がなされる。また、図３（ｂ）等において４５はリブである。
【００３８】
取付部１２は、略板状の本体部４１の両側縁部に上述したスリット３４、３４’の開口幅よりもやや薄い係止片１９を設けて形成される。後述するように内枠４に弾性変形を利用して弾発的に取り付けることができるようにするために、上記本体部４１は、一側縁部の全長が反対側縁側の全長における中央部のみに相当する短いものにされ、一方の係止片１９は、全長のより短い一側縁の全長に渡って形成される。この一方の係止片１９は、本体部４１よりもやや薄く形成されて本体部４１の表面寄りに形成される。
【００３９】
これに対し、他方の係止片１９は、他側縁の全長方向両端部から延設される一対の弾性脚２０、２０の先端に形成される。この弾性脚２０は本体部４１の側縁から表面側に向かって隆起するコ字状をなし、係止片１９は、弾性脚２０の先端から幅方向に突出する。上記弾性脚２０の一対は、その全長の合計が取付部１２の反対側縁と同じ程度にされる。以上の係止片１９には、先端に行くに従って裏面側から離れる傾斜面４２が形成される。
【００４０】
操作部１３は、上記弾性脚２０、２０の間、すなわち本体部４１の他側縁の中央部からさらに他側縁方向に延設される隆起片４３の先端に形成される。この隆起片４３は、本体部４１から表面側、他側縁側に漸次突出する階段状近似の断面形状をなし、操作部１３は、この隆起片４３の自由端から表裏方向に突出する板状に形成される。また、操作部１３は、上述した係止片１９との間に上述した鍔部２１の厚さよりもやや広い程度の間隔を隔てて隆起片４３から長手方向にも突出して形成される。なお、図５（ａ）等に示す４４はスライド移動の操作方向を知らせるための表示である。
【００４１】
ロック支持部１４は、上述した隆起片４３の途中から操作部１３と平行に表面側に突出する突出片４６の側壁面に形成される平面からなる。このロック支持部１４は、操作部１３の裏面との間に上述した鍔部８の厚さよりもやや広い程度の間隔を隔てる。なお、図４（ｂ）において５２は溝であり、突出片４６が後述する貫通孔５１と重合するのを防ぐ。
【００４２】
以上のロック体６は、取付部１２を上述した枠材１６のスリット３４、３４’間に挿入して内枠４の回転中心とは反対の辺縁に取り付けられる。取り付けに際しては、図７に示すように、ロック体６を傾けて一方の係止片１９をスリット３４の一方に挿入した後、この係止片１９を中心にしてロック体６を押し倒すように回転させると、他方の係止片１９の傾斜面４２が突片３５に干渉する。ここからさらに回転させると、傾斜面４２により生じる分力によって当該係止片１９の突片３５との干渉を解消する方向に弾性脚２０が撓み、この後、係止片１９が突片３５を乗り越えると、弾性復帰して係止片１９がスリット３４’内に収まり、突片３５に係止する（図２（ｂ）参照）。これにより、ロック体６は、取付部１２の両側縁をスリット３４、３４’に係止させて内枠４からの脱離が防止される。
【００４３】
また、この取り付け状態において、上述のように取付部１２の両側縁がスリット３４、３４’内に収まる上に、取付部１２の裏面は内枠４の板状部３１の外壁面（対峙面１１）にほぼ当接し、隆起片４３の一部は、鍔部２１の裏面に、また操作部１３の裏面の一部は鍔部２１の表面にほぼ当接する。これによりロック体６は、取付部１２や隆起片４３、操作部１３等を摺接させて内枠４の枠材１６長手方向に安定してスライド移動可能になる。
【００４４】
一方、ロック受け部１８は、上述した外枠３の内側の鍔部８に形成される。この鍔部８は、図２（ｂ）および図６（ａ）に示すように、内枠４を外枠３内に収容した状態において、上述した突出片４６と操作部１３との間まで突出する突出寸法を備える。
【００４５】
また、ロック逃がし部１０は、図２（ｂ）および図６（ｂ）に示すように、上記外枠３の内側の鍔部８に形成される切欠であり、突出片４６よりもひとまわり大きいサイズに形成される。
【００４６】
したがってロック体６をスライド移動してロック逃がし部１０が突出片４６に対峙する位置に合わせると、アンロック状態、すなわち外枠３内に収容された内枠４を外枠３に対して回転させて外枠３外に引き出すことが可能になり、また、この状態からロック体６をスライド移動させて突出片４６をロック逃がし部４０の位置からずらすと、ロック状態となって内枠４を外枠３内に拘束することができる。
【００４７】
さらに、上述のようなアンロック状態やロック状態へのロック体６の操作をしやすくするために、図６等に示すように、内枠４には突起４７が、ロック体６の本体部４１には係合部４８が形成される。上記突起４７は、板状部３１に内側から半抜き加工を施して形成され、アンロック状態、ロック状態に応じて離隔位置に一対形成される。
【００４８】
係合部４８は、本体部４１の幅方向中央部の裏面に形成される上記突起４７の係合可能な凹部からなる。また、係合部４８の突起４７への係脱をしやすくするために、本体部４１の幅方向中央部には長手方向両側に突出する舌片４９が形成され、係合部４８は、これらの各舌片４９の先端部に形成される。なお、本体部４１の幅方向中央部の全長は、舌片４９によって上述した他側縁部と同じ程度にされる。
【００４９】
したがって上述した突起４７の一方が、突出片４６がロック逃がし部４０に対峙するときに、他方が対峙しないときにそれぞれ係合部４８に係合することにより、操作部１３のスライド移動によるロック、アンロック操作時にクリック感を与えることができる。
【００５０】
さらに、ロック体６が上述のロック、アンロック操作に応じた範囲でのみ移動できるようにするために、図３等に示すように、内枠４には、本体部４１の両側縁に干渉してその移動範囲を規制可能な移動規制片５０が形成される。この移動規制片５０は、板状部３１の一部を切り起こして形成され、本体部４１の上述した反対側縁部側、すなわち弾性脚２０の基端部に応じた幅方向位置に配置される。なお、反対端縁部には長手方向に沿ってリブ４５が形成され、移動規制片５０との衝接により容易に弾性変形しないようにされる。
【００５１】
さらに、上述のようなアンロック状態やロック状態を外部から識別しやすくするために、ロック部３９にはロック判別部７が形成される。ロック判別部７は、この実施の形態においてはロック逃がし部１０を兼ねて構成され、図５（ｃ）および図６に示すように、ロック状態において操作部１３に覆われ、アンロック状態においては、操作部１３に表裏に貫通して形成される貫通孔５１を介して一部が外部に露出する。すなわち操作部１３の移動により見え隠れする。上記貫通孔５１は２．５-３Φ程度に形成される。
【００５２】
したがって外枠３を天井１の開口部２周りに装着すると、内枠４がロック体６とは反対の辺縁部を回転中心として、天井１に平行な閉塞回転位置と、垂直な開放回転位置との間で垂直回転可能になる。このとき、内枠４の天井１よりも上方への回転は、ロック体６の操作部１３がフランジ８と衝接することにより規制される。上記内枠４に天井材３６を装着すれば、開口部２を開閉する扉として機能する。なお、外枠３の天井１への装着には、図外の野縁から外枠３を吊り下げる吊り下げ金具が利用され、内枠４内への天井材３６の装着には、天井材３６の周縁部を天井裏側から内枠４の内側の鍔部２１に向かって押し付ける図外の固定金具が利用される。
【００５３】
この状態で室内には鍔部８、２１に加えて操作部１３が露出し、この操作部１３を枠材１６の長手方向に沿って天井１と平行にスライド操作すれば、ロック部３９をロック、アンロック操作することができる。スライド操作の際には、突起４７等によりロック、アンロックの切り替わりがクリック感として伝わり、また、移動規制片５０によって操作範囲は閉塞操作位置と開放操作位置との間に限られ、誤った過剰なスライド操作が防止される。
【００５４】
さらに、図８（ｂ）に示すように、アンロック時には、ロック判別部７と貫通孔５１とが室内空間と天井裏９空間とを直線状に繋げた状態となり、天井裏９が暗いことによって室内から見たときには黒色になる。照明のある室内に露出する鍔部８、２１やロック体６が光をある程度反射できる程度に形成されるために、ロック判別部７の黒色は室内側から見たときに高い視認性を発揮する。一方、図８（ａ）に示すように、ロック時には貫通孔５１を介して鍔部８が室内側に臨み、ロック体６と鍔部８とのコントラストが近いことにより、なんら目立つことなく室内空間のデザイン性を良好に維持する。
【００５５】
図９に本発明の変形例を示す。なお、この変形例において上述した実施の形態と同一の構成要素は図中に同一の符号を付して説明を省略する。この変形例において、ロック判別部７は、鍔部８の表面の一部に赤等の目立つ色を施して形成される着色部５２により構成され、ロック状態において操作部１３が重合し、アンロック状態においては操作部１３の重合位置からの移動により着色部５２が外部に露出する。
【００５６】
なお、上述した実施の形態や変形例においては、鍔部８に施したロック逃がし部１０あるいは着色部５２によりロック判別部７を構成する場合を示したが、鍔部８に形成した孔や切欠を単に操作部１３の移動に伴って見え隠れするようにしても足りる。
【符号の説明】
【００５７】
１          天井
２          開口部
３          外枠
４          内枠
５          点検口本体
６          ロック体
７          ロック判別部
８          フランジ  
９          天井裏
１０          判別空間部
１１          対峙面
１２          取付部
１３          操作部
１４          ロック支持部
１５          折り返し片
１６、１６’  枠材
１７          連結具
１８          ロック受け部
１９          係止片
２０          弾性脚
２１          フランジ
【図１】
2015200100.tif 000003
【図２】
2015200100.tif 000004
【図３】
2015200100.tif 000005
【図４】
2015200100.tif 000006
【図５】
2015200100.tif 000007
【図６】
2015200100.tif 000008
【図７】
2015200100.tif 000009
【図８】
2015200100.tif 000010
【図９】
2015200100.tif 000011